(57)【特許請求の範囲】
【請求項１】
無線通信システムにおける端末によるチャネル状態情報（ＣＳＩ）を報告するための方法であって、
前記方法は、
ＰＵＳＣＨ（Ｐｈｙｓｉｃａｌ  Ｕｐｌｉｎｋ  Ｓｈａｒｅｄ  ＣＨａｎｎｅｌ）に関する上りリンク（ＵＬ）グラントＤＣＩ（ｄｏｗｎｌｉｎｋ  ｃｏｎｔｒｏｌ  ｉｎｆｏｒｍａｔｉｏｎ）を受信する段階であって、前記ＵＬグラントＤＣＩが、ＣＳＩプロセスに対する非周期的ＣＳＩ報告をトリガーするために提出されるＣＳＩ要求、変調及びコーディング方式（ＭＣＳ）インデックスに関する情報及びＰＵＳＣＨに関するリソースブロック情報を含む、段階と、
前記ＵＬグラントＤＣＩに基づくＰＵＳＣＨを介して、前記非周期的ＣＳＩ報告を含むＵＣＩ（ｕｐｌｉｎｋ  ｃｏｎｔｒｏｌ  ｉｎｆｏｒｍａｔｉｏｎ）を送信する段階と、
を含み、
満たされる所定の条件に基づいてＰＵＳＣＨを介してＵＣＩだけが送信され、
前記所定の条件は、
（i）前記ＵＬグラントＤＣＩがＤＣＩフォーマット０で受信され、ＭＣＳインデックスが２９となるか、又は前記ＵＬグラントＤＣＩがＤＣＩフォーマット４で受信され、前記ＵＬグラントＤＣＩにより１トランスポートブロック（ＴＢ）のみがイネーブル（ｅｎａｂｌｅ）され、イネーブルされたＴＢに対するＭＣＳインデックスが２９であり、前記ＵＬグラントＤＣＩに基づく伝送レイヤーの数が１個である、
（ii）提出されたＣＳＩ要求に対するビット数が１又は２以外の正の整数である、及び
（iii）ＣＳＩプロセスの数が６以上である
ことを特徴とする、方法。
【請求項２】
無線通信システムにおいてチャネル状態情報（ＣＳＩ）を報告するように構成された端末であって、
メモリと、
前記メモリに連結された少なくとも一つのプロセッサと、
を備え、
前記プロセッサは、
ＰＵＳＣＨ（Ｐｈｙｓｉｃａｌ  Ｕｐｌｉｎｋ  Ｓｈａｒｅｄ  ＣＨａｎｎｅｌ）に関する上りリンク（ＵＬ）グラントＤＣＩ（ｄｏｗｎｌｉｎｋ  ｃｏｎｔｒｏｌ  ｉｎｆｏｒｍａｔｉｏｎ）を受信し、前記ＵＬグラントＤＣＩが、ＣＳＩプロセスに対する非周期的ＣＳＩ報告をトリガーするために提出されるＣＳＩ要求、変調及びコーディング方式（ＭＣＳ）インデックスに関する情報及びＰＵＳＣＨに関するリソースブロック情報を含み、
前記ＵＬグラントＤＣＩに基づくＰＵＳＣＨを介して、前記非周期的ＣＳＩ報告を含むＵＣＩ（ｕｐｌｉｎｋ  ｃｏｎｔｒｏｌ  ｉｎｆｏｒｍａｔｉｏｎ）を送信する、
ように構成され、
満たされる所定の条件に基づいてＰＵＳＣＨを介してＵＣＩだけが送信され、
前記所定の条件は、
（i）前記ＵＬグラントＤＣＩがＤＣＩフォーマット０で受信され、ＭＣＳインデックスが２９となるか、又は前記ＵＬグラントＤＣＩがＤＣＩフォーマット４で受信され、前記ＵＬグラントＤＣＩにより１トランスポートブロック（ＴＢ）のみがイネーブル（ｅｎａｂｌｅ）され、イネーブルされたＴＢに対するＭＣＳインデックスが２９であり、前記ＵＬグラントＤＣＩに基づく伝送レイヤーの数が１個である、
（ii）提出されたＣＳＩ要求に対するビット数が１又は２以外の正の整数である、及び
（iii）ＣＳＩプロセスの数が６以上である、
ことを特徴とする端末。
【発明の詳細な説明】
【技術分野】
【０００１】
本発明は無線通信システムに関するもので、具体的に無線通信システムにおけるチャネル状態報告のための方法及びそのための装置に関するものである。
【背景技術】
【０００２】
機器間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を效率的に使用するための搬送波集成（ｃａｒｒｉｅｒ  ａｇｇｒｅｇａｔｉｏｎ；ＣＡ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。
【０００４】
多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００５】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００６】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムに加えて或いはそれに代えてセルラー通信の新しい基盤として台頭している。
【発明の概要】
【発明が解決しようとする課題】
【０００７】
本発明は無線通信システムにおけるチャネル状態報告のための方案及びそれに係わる動作を提案しようとする。
【０００８】
本発明で達成しようとする技術的課題は前記技術的課題に制限されず、言及しなかった他の技術的課題は下記の記載から本発明が属する技術分野で通常の知識を有する者に明確に理解可能であろう。
【課題を解決するための手段】
【０００９】
本発明の一実施例による無線通信システムにおける非周期的チャネル状態報告のための方法であって、基地局から非周期的ＣＳＩ（ｃｈａｎｎｅｌ  ｓｔａｔｅ  ｉｎｆｏｒｍａｔｉｏｎ）報告要求を受信する段階、及び前記非周期的ＣＳＩ報告要求に対応する非周期的ＣＳＩを計算し、上りリンク共有チャネルを介して前記基地局に送信する段階を含み、前記端末のための要素搬送波又はＣＳＩプロセスの数が特定の値を超える場合、特定の条件下で前記非周期的ＣＳＩを含む上りリンク制御情報のみを前記上りリンク共有チャネルを介して送信することができる。
【００１０】
追加として又は代案として、前記特定の条件は、前記非周期的ＣＳＩ報告要求のためにＤＣＩ（ｄｏｗｎｌｉｎｋ  ｃｏｎｔｒｏｌ  ｉｎｆｏｒｍａｔｉｏｎ）フォーマット０が使われ、前記ＤＣＩ内に含まれた変調及びコーディング方式フィールド値が２９の場合を含むことができる。
【００１１】
追加として又は代案として、前記特定の条件は、前記非周期的ＣＳＩ報告要求のためにＤＣＩフォーマット４が使われ、１ＴＢのみがイネーブル（ｅｎａｂｌｅ）され、前記ＤＣＩ内に含まれた変調及びコーディング方式フィールド値が２９であり、伝送レイヤーの数が１個の場合を含むことができる。
【００１２】
追加として又は代案として、前記特定の条件は、前記非周期的ＣＳＩ報告要求のためのフィールドがＮビットであり、前記非周期的ＣＳＩ報告がトリガーされ、リソースブロックの数が４以下の場合を含むことができ、ここで、Ｎは１以上の整数であってもよい。
【００１３】
追加として又は代案として、前記特定の条件は、前記非周期的ＣＳＩ報告要求のためのフィールドがＮ＋１ビットであり、前記非周期的ＣＳＩ報告が一つのサービングセルに対してトリガーされ、リソースブロックの数が４以下の場合を含むことができ、ここで、Ｎは１以上の整数であってもよい。
【００１４】
追加として又は代案として、前記特定の条件は、前記非周期的ＣＳＩ報告要求のためのフィールドがＮ＋１ビットであり、前記非周期的ＣＳＩ報告が複数のセルに対してトリガーされた場合を含むことができ、ここで、Ｎは１以上の整数であってもよい。
【００１５】
追加として又は代案として、前記特定の条件は、前記非周期的ＣＳＩ報告要求のためのフィールドがＮ＋１ビットであり、前記非周期的ＣＳＩ報告が一つのＣＳＩプロセスに対してトリガーされ、リソースブロックの数が４以下の場合を含むことができ、ここで、Ｎは１以上の整数であってもよい。
【００１６】
追加として又は代案として、前記特定の条件は、前記非周期的ＣＳＩ報告要求のためのフィールドがＮ＋１ビットであり、前記非周期的ＣＳＩ報告が複数のＣＳＩプロセスに対してトリガーされた場合を含むことができる。
【００１７】
追加として又は代案として、前記特定の条件は、前記非周期的ＣＳＩ報告要求のためのフィールドがＮ＋１ビットであり、前記非周期的ＣＳＩ報告が複数のセル又はＣＳＩプロセスに対してトリガーされリソースブロックの数がｒ以下の場合を含み、ここで、Ｎは１以上の整数であってもよい。
【００１８】
追加として又は代案として、前記ｒは、前記端末に設定された全てのセル又はＣＳＩプロセスの数、前記非周期的ＣＳＩ報告要求が指示する値に関連したセル又はＣＳＩプロセスの数、又は前記非周期的ＣＳＩ報告要求のためのＤＣＩフィールドの各値に関連したセル又はＣＳＩプロセスの数のうち最大値に比例して決定されることができる。
【００１９】
追加として又は代案として、前記ｒは、前記非周期的ＣＳＩ報告要求が指示する値に関連したセル又はＣＳＩプロセスの数に比例して動的に決定されることができる。
【００２０】
追加として又は代案として、前記非周期的ＣＳＩ報告要求のためのＤＣＩに係わる少なくとも一つのパラメーターによって前記非周期的ＣＳＩのための変調次数が決定されることができる。
【００２１】
追加として又は代案として、前記上りリンク共有チャネルのために割り当てられたリソース大きさによって前記非周期的ＣＳＩのための変調次数が決定されることができる。
【００２２】
追加として又は代案として、前記非周期的ＣＳＩのための要素搬送波又はＣＳＩプロセスの数及び前記上りリンク共有チャネルのために割り当てられたリソース大きさの組合せによって前記非周期的ＣＳＩのための変調次数が決定されることができる。
【００２３】
追加として又は代案として、前記非周期的ＣＳＩの大きさ及び前記上りリンク共有チャネルのために割り当てられたリソース大きさの組合せによって前記非周期的ＣＳＩのための変調次数が決定されることができる。
【００２４】
追加として又は代案として、前記非周期的ＣＳＩ報告要求のためのＤＣＩに含まれた伝送レイヤーの数によって前記非周期的ＣＳＩのための変調次数が決定されることができる。
【００２５】
追加として又は代案として、前記非周期的ＣＳＩ報告要求のためのＤＣＩのフォーマットによって前記非周期的ＣＳＩのための変調次数が決定されることができる。
【００２６】
追加として又は代案として、前記非周期的ＣＳＩ報告要求のためのフィールドのビット数によって前記非周期的ＣＳＩのための変調次数が決定されることができる。
【００２７】
追加として又は代案として、前記非周期的ＣＳＩ報告要求のためのフィールドのビット値によって前記非周期的ＣＳＩのための変調次数が決定されることができる。
【００２８】
本発明の一実施例による無線通信システムにおいて非周期的チャネル状態を報告するように構成された端末であって、無線周波数（Ｒａｄｉｏ  Ｆｒｅｑｕｅｎｃｙ；ＲＦ）ユニット及び前記ＲＦユニットを制御するように構成されたプロセッサを含み、前記プロセッサは、基地局から非周期的ＣＳＩ（ｃｈａｎｎｅｌ  ｓｔａｔｅ  ｉｎｆｏｒｍａｔｉｏｎ）報告要求を受信し、そして前記非周期的ＣＳＩ報告要求に対応する非周期的ＣＳＩを計算し、上りリンク共有チャネルを介して前記基地局に送信するように構成され、前記端末のための要素搬送波又はＣＳＩプロセスの数が特定の値を超える場合、特定の条件下で前記非周期的ＣＳＩを含む上りリンク制御情報のみが前記上りリンク共有チャネルを介して送信されることができる。
【００２９】
前記課題解決方法は本発明の実施例の一部に過ぎなく、本発明の技術的特徴が反映された多様な実施例が当該技術分野の通常の知識を有する者によって以下で詳述する本発明の詳細な説明から導出されて理解可能である。
【発明の効果】
【００３０】
本発明の一実施例によると、無線通信システムにおけるチャネル状態の報告を効率的に行うことができる。
【００３１】
本発明で得られる効果は以上で言及した効果に制限されず、言及しなかった他の効果は下記の記載から本発明が属する技術分野で通常の知識を有する者に明確に理解可能であろう。
【００３２】
本発明に対する理解を助けるために詳細な説明の一部として含まれる、添付図面は本発明の実施例を提供し、詳細な説明と一緒に本発明の技術的思想を説明する。
【図面の簡単な説明】
【００３３】
【図１】無線通信システムで使われる無線フレーム構造の一例を示した図である。
【図２】無線通信システムにおいて下りリンク／上りリンク（ＤＬ／ＵＬ）スロット構造の一例を示した図である。
【図３】３ＧＰＰ  ＬＴＥ／ＬＴＥ−Ａシステムで使われる下りリンク（ｄｏｗｎｌｉｎｋ、ＤＬ）サブフレーム構造を例示した図である。
【図４】３ＧＰＰ  ＬＴＥ／ＬＴＥ−Ａシステムで使われる上りリンク（ｕｐｌｉｎｋ、ＵＬ）サブフレーム構造の一例を示した図である。
【図５】本発明の一実施例による動作を例示する。
【図６】本発明の実施例（等）を具現するための装置のブロック図を示す。
【発明を実施するための形態】
【００３４】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００３５】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００３６】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３７】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３８】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３９】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００４０】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００４１】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００４２】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００４３】
図１を参照すると、３ＧＰＰ ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００４４】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００４５】
表１は、ＴＤＤで、無線フレームにおけるサブフレームのＤＬ−ＵＬ構成（ｃｏｎｆｉｇｕｒａｔｉｏｎ）を例示するものである。
【００４６】
【表１】
0006748649.tif 000002
【００４７】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００４８】
【表２】
0006748649.tif 000003
【００４９】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００５０】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味することもある。図２を参照すると、各スロットで送信される信号は、
【数１】
0006748649.tif 000004
個の副搬送波（ｓｕｂｃａｒｒｉｅｒ）と
【数２】
0006748649.tif 000005
個のＯＦＤＭシンボルとで構成されるリソース格子（ｒｅｓｏｕｒｃｅ  ｇｒｉｄ）と表現することができる。ここで、
【数３】
0006748649.tif 000006
は、下りリンクスロットにおけるリソースブロック（ｒｅｓｏｕｒｃｅ  ｂｌｏｃｋ、ＲＢ）の個数を表し、
【数４】
0006748649.tif 000007
は、ＵＬスロットにおけるＲＢの個数を表す。
【数５】
0006748649.tif 000008
と
【数６】
0006748649.tif 000009
は、ＤＬ送信帯域幅とＵＬ送信帯域幅にそれぞれ依存する。
【数７】
0006748649.tif 000010
は、下りリンクスロットにおけるＯＦＤＭシンボルの個数を表し、
【数８】
0006748649.tif 000011
は、ＵＬスロットにおけるＯＦＤＭシンボルの個数を表す。
【数９】
0006748649.tif 000012
は、１つのＲＢを構成する副搬送波の個数を表す。
【００５１】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【数１０】
0006748649.tif 000013
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。 ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ０）にマップされる。搬送波周波数は中心周波数（ｃｅｎｔｅｒ  ｆｒｅｑｕｅｎｃｙ、ｆｃ）と呼ばれることもある。
【００５２】
１ ＲＢは、時間ドメインで
【数１１】
0006748649.tif 000014
個（例えば、７個）の連続するＯＦＤＭシンボルと定義され、周波数ドメインで
【数１２】
0006748649.tif 000015
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ、ＲＥ）或いはトーン（ｔｏｎｅ）という。したがって、１つのＲＢは、
【数１３】
0006748649.tif 000016
個のリソース要素で構成される。リソース格子における各リソース要素は、１つのスロットにおけるインデックス対（ｋ，１）によって固有に定義できる。ｋは、周波数ドメインで０から
【数１４】
0006748649.tif 000017
まで与えられるインデックスであり、ｌは、時間ドメインで０から
【数１５】
0006748649.tif 000018
まで与えられるインデックスである。
【００５３】
１サブフレームにおいて
【数１６】
0006748649.tif 000019
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０からＮＤＬＶＲＢ−１順に番号が与えられ、ＮＤＬＶＲＢ＝ＮＤＬＲＢである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００５４】
図３は、３ＧＰＰ ＬＴＥ／ＬＴＥ−Ａシステムで用いられる下りリンク（ｄｏｗｎｌｉｎｋ、ＤＬ）サブフレーム構造を例示する図である。
【００５５】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５６】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００５７】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５８】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【００５９】
【表３】
0006748649.tif 000020
【００６０】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００６１】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが”Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、”Ｂ”という無線リソース（例、周波数位置）及び”Ｃ”という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、”Ａ”というＲＮＴＩを有しているＵＥはＰＤＣＣＨを検出し、受信したＰＤＣＣＨの情報によって”Ｂ”と”Ｃ”で示されるＰＤＳＣＨを受信する。
【００６２】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ−特定的（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００６３】
図４は、３ＧＰＰ ＬＴＥ／ＬＴＥ−Ａシステムで用いられる上りリンク（ＵＬ）サブフレーム構造の一例を示す図である。
【００６４】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００６５】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００６６】
ＰＵＣＣＨは、次の制御情報を送信するために用いることができる。
【００６７】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００６８】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６９】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００７０】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００７１】
下記の表４に、ＬＴＥ／ＬＴＥ−ＡシステムでＰＵＣＣＨフォーマットとＵＣＩとのマッピング関係を示す。
【００７２】
【表４】
0006748649.tif 000021
【００７３】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００７４】
ＣＳＩ報告
【００７５】
３ＧＰＰ  ＬＴＥ（−Ａ）システムでは、ユーザ機器（ＵＥ）がチャネル状態情報（ＣＳＩ）を基地局（ＢＳ）に報告するように定義されており、チャネル状態情報（ＣＳＩ）とは、ＵＥとアンテナポート間に形成される無線チャネル（リンクともいう。）の品質を示し得る情報のことを総称する。例えば、ランク指示子（ｒａｎｋ  ｉｎｄｉｃａｔｏｒ；ＲＩ）、プリコーディング行列指示子（ｐｒｅｃｏｄｉｎｇ  ｍａｔｒｉｘ  ｉｎｄｉｃａｔｏｒ；ＰＭＩ）、チャネル品質指示子（ｃｈａｎｎｅｌ  ｑｕａｌｉｔｙ  ｉｎｄｉｃａｔｏｒ；ＣＱＩ）などがそれに当たる。ここで、ＲＩはチャネルのランク（ｒａｎｋ）情報を示し、これは、ＵＥが同一の時間−周波数リソースで受信するストリームの個数を意味する。この値は、チャネルのロングタームフェージング（ｆａｄｉｎｇ）に従って決定されるため、通常、ＰＭＩ、ＣＱＩに比べて長い周期でＵＥからＢＳへフィードバックされる。ＰＭＩはチャネル空間特性を反映した値であり、ＳＩＮＲなどのメトリック（ｍｅｔｒｉｃ）を基準に、ＵＥの好むプリコーディングインデックスを示す。ＣＱＩは、チャネルの強度を示す値であり、一般に、ＢＳがＰＭＩを用いた時に得られる受信ＳＩＮＲを意味する。
【００７６】
上記無線チャネルの測定に基づいて、ＵＥは、現在チャネル状態下で上記ＢＳによって用いられると最適又は最高の伝送レートが導出され得る、好むＰＭＩ及びＲＩを計算し、計算されたＰＭＩ及びＲＩを上記ＢＳにフィードバックする。ここで、ＣＱＩは、上記フィードバックされたＰＭＩ／ＲＩに対する収容可能なパケット誤り率（ｐａｃｋｅｔ  ｅｒｒｏｒ  ｐｒｏｂａｂｉｌｉｔｙ）を提供する変調及びコーディング方式（ｍｏｄｕｌａｔｉｏｎ  ａｎｄ  ｃｏｄｉｎｇ  ｓｃｈｅｍｅ）を示す。
【００７７】
一方、より精密なＭＵ−ＭＩＭＯと明示的なＣｏＭＰ動作を含むことが期待されるＬＴＥ−Ａシステムにおいて、現在のＣＳＩフィードバックはＬＴＥで定義されたものであり、このため、かかるな新しく導入される動作を十分に支援することができない。ＣＳＩフィードバックの正確度に対する要求事項が、十分なＭＵ−ＭＩＭＯ又はＣｏＭＰスループット（ｔｈｒｏｕｇｈｐｕｔ）利得を得るために益々難しくなることから、ＰＭＩは、ロングターム（ｌｏｎｇ  ｔｅｒｍ）／広帯域（ｗｉｄｅｂａｎｄ）ＰＭＩ（Ｗ1）、及びショートターム（ｓｈｏｒｔ  ｔｅｒｍ）／サブバンド（ｓｕｂｂａｎｄ）ＰＭＩ（Ｗ2）、の２種類で構成されるように合意された。言い換えると、最終ＰＭＩは、Ｗ1とＷ2の関数として表現される。例えば、最終ＰＭＩ  Ｗを次のように定義することができる：Ｗ＝Ｗ1＊Ｗ2、又はＷ＝Ｗ2＊Ｗ1。したがって、ＬＴＥ−Ａにおいて、ＣＳＩはＲＩ、Ｗ1、Ｗ2及びＣＱＩで構成されるだろう。
【００７８】
３ＧＰＰ  ＬＴＥ（−Ａ）システムにおいてＣＳＩ伝送のために用いられる上りリンクチャネルは、次の表５のとおりである。
【００７９】
【表５】
0006748649.tif 000022
【００８０】
表５を参照すると、ＣＳＩは、上位層で定めた周期で、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を介して送信されてもよく、スケジューラの必要によって非周期的に物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を介して送信されてもよい。ＣＳＩがＰＵＳＣＨで送信される場合は、周波数選択的なスケジューリング方式及び非周期的ＣＳＩ伝送である場合にのみ可能である。以下では、スケジューリング方式及び周期性によるＣＳＩ伝送方式について説明する。
【００８１】
１）ＣＳＩ伝送要求制御信号（ＣＳＩ  ｒｅｑｕｅｓｔ）受信後、ＰＵＳＣＨを用いたＣＱＩ／ＰＭＩ／ＲＩの伝送
【００８２】
ＰＤＣＣＨ信号で送信されるＰＵＳＣＨスケジューリング制御信号（ＵＬ  Ｇｒａｎｔ）に、ＣＳＩを送信するように要求する制御信号が含まれ得る。次の表は、ＰＵＳＣＨでＣＱＩ、ＰＭＩ、ＲＩを送信する時のＵＥのモードを表す。
【００８３】
【表６】
0006748649.tif 000023
【００８４】
表６の伝送モードは、上位レイヤで選択され、ＣＱＩ／ＰＭＩ／ＲＩはいずれも同一のＰＵＳＣＨサブフレームで送信される。以下では、各モードによるＵＥの上りリンク伝送方法について説明する。
【００８５】
モード１−２（Ｍｏｄｅ  １−２）は、それぞれのサブバンドに対してデータがサブバンドだけを通じて送信されるという仮定の下にプリコーディング行列を選択する場合を表す。ＵＥは、システム帯域又は上位レイヤで指定した帯域（ｓｅｔ  Ｓ）の全てに対して選択したプリコーディング行列を仮定してＣＱＩを生成する。モード１−２においてＵＥはＣＱＩと各サブバンドのＰＭＩ値を送信することができる。このとき、各サブバンドのサイズは、システム帯域のサイズによって変わってもよい。
【００８６】
モード２−０（Ｍｏｄｅ  ２−０）でのＵＥは、システム帯域又は上位レイヤで指定した指定帯域（ｓｅｔ  Ｓ）に対して、好むＭ個のサブバンドを選択することができる。ＵＥは、選択したＭ個のサブバンドに対してデータを送信するという仮定の下に一つのＣＱＩ値を生成することができる。ＵＥはさらにシステム帯域又はｓｅｔ  Ｓに対して一つのＣＱＩ（ｗｉｄｅｂａｎｄ  ＣＱＩ）値を報告することが好ましい。ＵＥは、選択したＭ個のサブバンドに対して複数個のコードワードがある場合、各コードワードに対するＣＱＩ値を差分形式で定義する。
【００８７】
このとき、差分ＣＱＩ値は、選択したＭ個のサブバンドに対するＣＱＩ値に該当するインデックスと広帯域ＣＱＩ（ＷＢ−ＣＱＩ：Ｗｉｄｅｂａｎｄ  ＣＱＩ）インデックスとの差値と決定される。
【００８８】
モード２−０のＵＥは、選択したＭ個のサブバンドの位置に関する情報、選択したＭ個のサブバンドに対する一つのＣＱＩ値、及び全帯域又は指定帯域（ｓｅｔ  Ｓ）に対して生成したＣＱＩ値を、ＢＳに送信することができる。このとき、サブバンドのサイズ及びＭ値は、システム帯域のサイズによって変わってもよい。
【００８９】
モード２−２（Ｍｏｄｅ  ２−２）のＵＥは、Ｍ個の好むサブバンドでデータを送信するという仮定の下に、Ｍ個の好むサブバンドの位置とＭ個の好むサブバンドに対する単一プリコーディング行列を同時に選択することができる。このとき、Ｍ個の好むサブバンドに対するＣＱＩ値は、コードワードごとに定義される。また、ＵＥはさらに、システム帯域又は指定帯域（ｓｅｔ  Ｓ）に対して広帯域ＣＱＩ（ｗｉｄｅｂａｎｄ  ＣＱＩ）値を生成する。
【００９０】
モード２−２のＵＥは、Ｍ個の好むサブバンドの位置に関する情報、選択されたＭ個のサブバンドに対する一つのＣＱＩ値、Ｍ個の好むサブバンドに対する単一ＰＭＩ、広帯域ＰＭＩ、広帯域ＣＱＩ値を、ＢＳに送信することができる。このとき、サブバンドのサイズ及びＭ値は、システム帯域のサイズによって変わってもよい。
【００９１】
モード３−０（Ｍｏｄｅ  ３−０）のＵＥは、広帯域ＣＱＩ値を生成する。ＵＥは、各サブバンドでデータを送信するという仮定の下に各サブバンドに対するＣＱＩ値を生成する。このとき、ＲＩ＞１であっても、ＣＱＩ値は最初のコードワードに対するＣＱＩ値だけを示す。
【００９２】
モード３−１（Ｍｏｄｅ  ３−１）のＵＥは、システム帯域又は指定帯域（ｓｅｔ  Ｓ）に対して単一プリコーディング行列（ｐｒｅｃｏｄｉｎｇ  ｍａｔｒｉｘ）を生成する。ＵＥは各サブバンドに対して先に生成した単一プリコーディング行列を仮定して、コードワード別にサブバンドＣＱＩを生成する。また、ＵＥは単一プリコーディング行列を仮定して広帯域ＣＱＩを生成することができる。各サブバンドのＣＱＩ値は、差分形式で表現することができる。サブバンドＣＱＩ値は、サブバンドＣＱＩインデックスと広帯域ＣＱＩインデックスとの差値と計算される。このとき、サブバンドのサイズは、システム帯域のサイズによって変わってもよい。
【００９３】
モード３−２（Ｍｏｄｅ３−２）のＵＥは、モード３−１と比較して、全帯域に対する単一プリコーディング行列の代わりに、各サブバンドに対するプリコーディング行列を生成する。
【００９４】
２）ＰＵＣＣＨを用いた周期的なＣＱＩ／ＰＭＩ／ＲＩの伝送
【００９５】
ＵＥは、ＣＳＩ（例えば、ＣＱＩ／ＰＭＩ／ＰＴＩ（ｐｒｅｃｏｄｉｎｇ  ｔｙｐｅ  ｉｎｄｉｃａｔｏｒ）及び／又はＲＩ情報）をＰＵＣＣＨを介してＢＳに周期的に送信することができる。仮に、ＵＥがユーザデータを送信する旨の制御信号を受信した場合には、ＵＥはＰＵＣＣＨを介してＣＱＩを送信することができる。制御信号がＰＵＳＣＨで送信されても、ＣＱＩ／ＰＭＩ／ＰＴＩ／ＲＩは、次の表に定義されたモードのいずれか一方式によって送信されればよい。
【００９６】
【表７】
0006748649.tif 000024
【００９７】
ＵＥは、表７のような伝送モードを有することができる。表７を参照すると、モード２−０（Ｍｏｄｅ  ２−０）及びモード２−１（Ｍｏｄｅ  ２−１）の場合、帯域幅パート（ＢＰ：Ｂａｎｄｗｉｄｔｈ  Ｐａｒｔ）は周波数領域において連続して位置しているサブバンドの集合であり、システム帯域又は指定帯域（ｓｅｔ  Ｓ）のいずれもカバーすることができる。表９で、各サブバンドのサイズ、ＢＰのサイズ及びＢＰの個数は、システム帯域のサイズによって変わってもよい。また、ＵＥは、システム帯域又は指定帯域（ｓｅｔ  Ｓ）をカバーできるように、ＢＰ別にＣＱＩを周波数領域において昇順で送信する。
【００９８】
ＣＱＩ／ＰＭＩ／ＰＴＩ／ＲＩの伝送組み合わせによって、ＵＥは次のようなＰＵＣＣＨ伝送タイプを有することができる。
【００９９】
i）タイプ１（Ｔｙｐｅ１）：モード２−０（Ｍｏｄｅ  ２−０）、モード２−１（Ｍｏｄｅ  ２−１）のサブバンドＣＱＩ（ＳＢ−ＣＱＩ）を送信する。
【０１００】
ii）タイプ１ａ：サブバンドＣＱＩ及び第２のＰＭＩを送信する
【０１０１】
iii）タイプ２、タイプ２ｂ、タイプ２ｃ：広帯域ＣＱＩ及びＰＭＩ（ＷＢ−ＣＱＩ／ＰＭＩ）を送信する。
【０１０２】
iv）タイプ２ａ：広帯域ＰＭＩを送信する。
【０１０３】
v）タイプ３：ＲＩを送信する。
【０１０４】
vi）タイプ４：広帯域ＣＱＩを送信する。
【０１０５】
vii）タイプ５：ＲＩ及び広帯域ＰＭＩを送信する。
【０１０６】
viii）タイプ６：ＲＩ及びＰＴＩを送信する。
【０１０７】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同一のサブフレームに送信されるべき場合には、ＣＱＩ／ＰＭＩは送信されない。
【０１０８】
非周期的ＣＳＩ要求
【０１０９】
現在ＬＴＥ標準では、ＣＡ（ｃａｒｒｉｅｒ  ａｇｇｒｅｇａｔｉｏｎ）環境を考慮する場合、非周期的ＣＳＩフィードバックを動作させるためにＤＣＩフォーマット０又は４で２ビットＣＳＩ要求フィールドを使っている。端末は、ＣＡ環境で多くのサービングセルが設定された場合、ＣＳＩ要求フィールドを２ビットで解釈することになる。仮に、全てのＣＣ（Ｃｏｍｐｏｎｅｎｔ  Ｃａｒｒｉｅｒ）に対してＴＭ１〜９のうち一つのＴＭが設定された場合は、下記の表８の値によって非周期的ＣＳＩフィードバックがトリガーされ、全てのＣＣのうち少なくとも一つのＣＣに対してＴＭ１０が設定された場合は、下記の表９の値によって非周期的ＣＳＩフィードバックがトリガーされる。
【０１１０】
【表８】
0006748649.tif 000025
【０１１１】
【表９】
0006748649.tif 000026
【０１１２】
無線セルラー通信システムにおいて、一つの基地局は多数の端末に対するデータ送受信を制御し、基地局が端末に送信する下りリンクデータについてのスケジューリング情報、例えば端末がデータの送信される時間／周波数情報及びＭＣＳ（ｍｏｄｕｌａｔｉｏｎ  ａｎｄ  ｃｏｄｉｎｇ  ｓｃｈｅｍｅ）、ＨＡＲＱ（ｈｙｂｒｉｄ  ａｕｔｏｍａｔｉｃ  ｒｅｔｒａｎｓｍｉｓｓｉｏｎ  ｒｅｑｕｅｓｔ）関連情報を該当端末に送信してデータ受信を可能にする。同様に、端末が上りリンクデータを送信することができるように、基地局は上りリンクスケジューリング情報を該当端末に知らせる。近年には、従来のバンド区分を活用しながらももっと広い帯域幅を支援するために、単一端末に単位ＣＣ（Ｃｏｍｐｏｎｅｎｔ  Ｃａｒｒｉｅｒ）を集成（ａｇｇｒｅｇａｔｉｏｎ）して下りリンクデータを送信するＣＡ（ｃａｒｒｉｅｒ  ａｇｇｒｅｇａｔｉｏｎ）技術が考慮された。特に、ＬＴＥ標準では相異なる二重（ｄｕｐｌｅｘ）モード又は同じ二重モードの複数のＣＣ（Ｃｏｍｐｏｎｅｎｔ  Ｃａｒｒｉｅｒ）が集成された状況で各セルがスケジューリング情報を含む制御チャネルを送信する自己ＣＣスケジューリング（ｓｅｌｆ−ＣＣ  ｓｃｈｅｄｕｌｉｎｇ）と一セルが他のセルのスケジューリング情報を含む制御チャネルを送信するクロスキャリアスケジューリング（ｃｒｏｓｓ−ｃａｒｒｉｅｒ  ｓｃｈｅｄｕｌｉｎｇ）技術が考慮された。現在、ＬＴＥ標準では５個のＣＣを結合して下りリンクデータを送信するＣＡを考慮したが、最近には急激に増加するトラフィック負荷を支援するために、５個以上のＣＣ（例えば、８個又は１６個のＣＣ）を結合して下りリンクデータを送信するＣＡ改善案が考慮されている。
【０１１３】
本発明では相異なる二重モード又は同じ二重モードの複数のＣＣが集成された状況で、非周期的ＣＳＩフィードバックの伝送方法に対して提案する。
【０１１４】
以下では、説明の便宜のために、３ＧＰＰ  ＬＴＥシステムに基づく提案方式を説明する。しかし、提案方式が適用されるシステムの範囲は３ＧＰＰ  ＬＴＥシステムの外に他のシステム（例えば、ＵＴＲＡなど）にも拡張可能である。
【０１１５】
現在、ＬＴＥ標準によると、下記の条件が満たされる場合、ＵＬ−ＳＣＨ（ｕｐｌｉｎｋ  ｓｈａｒｅｄ  ｃｈａｎｎｅｌ）のための伝送ブロック（ｔｒａｎｓｐｏｒｔ  ｂｌｏｃｋ）はなく、ＵＥは前もって設定されたＰＵＳＣＨ報告モードに上りリンク制御情報のフィードバックのみを送信する。説明の便宜のために、前記のようにＵＬ−ＳＣＨなしでＵＣＩ（ｕｐｌｉｎｋ  ｃｏｎｔｒｏｌ  ｉｎｆｏｒｍａｔｉｏｎ）のみをＰＵＳＣＨに送信することを“ＵＣＩ  ｏｎｌｙ  ＰＵＳＣＨフィードバック”と言う。
【０１１６】
【数１７】
0006748649.tif 000027
ＤＣＩフォーマット０が使われ、Ｉ＿ＭＣＳ＝２９又はＤＣＩフォーマット４が使われ、１伝送ブロック（ＴＢ）のみがイネーブル（ｅｎａｂｌｅ）され、そのＴＢのＩ＿ＭＣＳ＝２９であり、伝送レイヤーの数が１個であるとき、
【０１１７】
【数１８】
0006748649.tif 000028
ＣＳＩ要求ビットフィールドが１ビットでありながら非周期的ＣＳＩ報告がトリガーされ、Ｎ＿ＰＲＢが４以下の場合
【０１１８】
【数１９】
0006748649.tif 000029
若しくは、ＣＳＩ要求ビットフィールドが２ビットでありながら一つのサービングセルに対して非周期的ＣＳＩ報告がトリガーされ、Ｎ＿ＰＲＢが４以下の場合
【０１１９】
【数２０】
0006748649.tif 000030
若しくは、ＣＳＩ要求ビットフィールドが２ビットでありながら多数のサービングセルに対して非周期的ＣＳＩ報告がトリガーされ、Ｎ＿ＰＲＢが２０以下の場合
【０１２０】
【数２１】
0006748649.tif 000031
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合
【０１２１】
【数２２】
0006748649.tif 000032
若しくは、ＣＳＩ要求ビットフィールドが２ビットでありながら多数のＣＳＩプロセスに対して非周期的ＣＳＩ報告がトリガーされ、Ｎ＿ＰＲＢが２０以下の場合。
【０１２２】
第１方案．ＵＣＩ  ｏｎｌｙ  ＰＵＳＣＨフィードバックのための条件
【０１２３】
端末に設定された全てのＣＣ／ＣＳＩプロセスの数が前もって定義された値（又は上位階層信号によって設定された値）以上の場合又はＵＬ承認（ｇｒａｎｔ）ＤＣＩ内の非周期的ＣＳＩ要求ビットの状態に連結されたＣＣ／ＣＳＩプロセスの数（例えば、表８又は表９の状態‘０１’が指示する第１集合に属するＣＣ／ＣＳＩプロセスの数）が前もって定義された値（又は上位階層信号によって設定された値）以上の場合、次の条件を満たすとき、ＵＣＩ  ｏｎｌｙ  ＰＵＳＣＨフィードバックが設定できる。
【０１２４】
第１−１条件．
【０１２５】
ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき、
【０１２６】
【数２３】
0006748649.tif 000033
ＣＳＩ要求ビットフィールドが１ビットでありながら非周期的ＣＳＩ報告がトリガーされ、Ｎ＿ＰＲＢが４以下の場合、
【０１２７】
【数２４】
0006748649.tif 000034
若しくは、ＣＳＩ要求ビットフィールドが２ビットでありながら一つのサービングセルに対して非周期的ＣＳＩ要求がトリガーされ、Ｎ＿ＰＲＢが４以下の場合、
【０１２８】
【数２５】
0006748649.tif 000035
若しくは、ＣＳＩ要求ビットフィールドが２ビットでありながら２個以上かつ５個以下のサービングセルに対して非周期的ＣＳＩ報告がトリガーされ、Ｎ＿ＰＲＢが２０以下の場合、
【０１２９】
【数２６】
0006748649.tif 000036
若しくは、ＣＳＩ要求ビットフィールドが２ビットでありながら６個以上のサービングセルに対して非周期的ＣＳＩ報告がトリガーされた場合、
【０１３０】
【数２７】
0006748649.tif 000037
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１３１】
【数２８】
0006748649.tif 000038
若しくは、ＣＳＩ要求ビットフィールドが２ビットでありながら２個以上かつ５個以下のＣＳＩプロセスに対して非周期的ＣＳＩ報告がトリガーされ、Ｎ＿ＰＲＢが２０以下の場合、
【０１３２】
【数２９】
0006748649.tif 000039
若しくは、ＣＳＩ要求ビットフィールドが２ビットでありながら６個以上のＣＳＩプロセスに対して非周期的ＣＳＩ報告がトリガーされた場合、
【０１３３】
ＵＣＩ  ｏｎｌｙ  ＰＵＳＣＨフィードバックが設定される。
【０１３４】
第１−２条件．
【０１３５】
ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき、
【０１３６】
【数３０】
0006748649.tif 000040
ＣＳＩ要求ビットフィールドが１ビットでありながら非周期的ＣＳＩ報告がトリガーされ、Ｎ＿ＰＲＢが４以下の場合、
【０１３７】
【数３１】
0006748649.tif 000041
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１３８】
【数３２】
0006748649.tif 000042
若しくは、ＣＳＩ要求ビットフィールドが２ビットでありながら２個以上かつ５個以下のサービングセルに対して非周期的ＣＳＩ報告がトリガーされ、Ｎ＿ＰＲＢが２０以下の場合、
【０１３９】
【数３３】
0006748649.tif 000043
若しくは、ＣＳＩ要求ビットフィールドが２ビットでありながら６個以上のサービングセルに対して非周期的ＣＳＩ報告がトリガーされ、Ｎ＿ＰＲＢがｒ以下の場合、
【０１４０】
【数３４】
0006748649.tif 000044
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１４１】
【数３５】
0006748649.tif 000045
若しくは、ＣＳＩ要求ビットフィールドが２ビットでありながら２個以上かつ５個以下のＣＳＩプロセスに対して非周期的ＣＳＩ報告がトリガーされ、Ｎ＿ＰＲＢが２０以下の場合、
【０１４２】
【数３６】
0006748649.tif 000046
若しくは、ＣＳＩ要求ビットフィールドが２ビットでありながら６個以上のＣＳＩプロセスに対して非周期的ＣＳＩ報告がトリガーされ、Ｎ＿ＰＲＢがｒ以下の場合、
【０１４３】
ＵＣＩ  ｏｎｌｙ  ＰＵＳＣＨフィードバックが設定される。
【０１４４】
第１−３条件．
【０１４５】
ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき、
【０１４６】
【数３７】
0006748649.tif 000047
ＣＳＩ要求ビットフィールドが１ビットでありながら非周期的ＣＳＩ報告がトリガーされ、Ｎ＿ＰＲＢが４以下の場合、
【０１４７】
【数３８】
0006748649.tif 000048
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１４８】
【数３９】
0006748649.tif 000049
若しくは、ＣＳＩ要求ビットフィールドが２ビットでありながら２個以上のサービングセルに対して非周期的ＣＳＩ報告がトリガーされた場合、
【０１４９】
【数４０】
0006748649.tif 000050
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１５０】
【数４１】
0006748649.tif 000051
若しくは、ＣＳＩ要求ビットフィールドが２ビットでありながら２個以上のＣＳＩプロセスに対して非周期的ＣＳＩ報告がトリガーされた場合、
【０１５１】
ＵＣＩ  ｏｎｌｙ  ＰＵＳＣＨフィードバックが設定される。
【０１５２】
ここで、ｒは前もって定義されるとか上位階層信号によって設定された値であり、一例として端末に設定された全てのＣＣ／ＣＳＩプロセスの数又はＵＬ承認ＤＣＩ内の非周期的ＣＳＩ要求ビットの特定状態に連結されたＣＣ／ＣＳＩプロセスの数又はＵＬ承認ＤＣＩ内の非周期的ＣＳＩ要求ビットの各状態に連結されたＣＣ／ＣＳＩプロセスの数のうちで最大値に比例して設定できる。若しくは、前記ｒはトリガーされた状態に連結されたＣＣ／ＣＳＩプロセスの数に比例して動的に設定できる。
【０１５３】
第２方案．
【０１５４】
さらに他の実施例として、端末に設定された全てのＣＣ／ＣＳＩプロセスの数又はＵＬ承認ＤＣＩ内の非周期的ＣＳＩ要求ビットの状態に連結されたＣＣ／ＣＳＩプロセスの数が前もって定義された値（又は上位階層信号によって設定された値）以下であるときと超えるときのＵＣＩ  ｏｎｌｙ  ＰＵＳＣＨフィードバックの条件が互いに異なって設定できる。
【０１５５】
第２−１条件．
【０１５６】
端末に設定された全てのＣＣ／ＣＳＩプロセスの数又はＵＬ承認ＤＣＩ内の非周期的ＣＳＩ要求ビットの状態に連結されたＣＣ／ＣＳＩプロセスの数がＮｃｃ以下であり、ＤＣＩフォーマット０が使われ、Ｉ＿ＭＣＳ＝２９又はＤＣＩフォーマット４が使われ、１ＴＢのみイネーブルされ、そのＴＢのＩ＿ＭＣＳ＝２９であり、伝送レイヤーの数が１個であるとき、
【０１５７】
【数４２】
0006748649.tif 000052
ＣＳＩ要求ビットフィールドが１ビットでありながら非周期的ＣＳＩ報告がトリガーされ、Ｎ＿ＰＲＢが４以下の場合、
【０１５８】
【数４３】
0006748649.tif 000053
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１５９】
【数４４】
0006748649.tif 000054
若しくは、ＣＳＩ要求ビットフィールドが２ビットでありながら多数のサービングセルに対して非周期的ＣＳＩ報告がトリガーされ、Ｎ＿ＰＲＢが２０以下の場合、
【０１６０】
【数４５】
0006748649.tif 000055
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１６１】
【数４６】
0006748649.tif 000056
若しくは、ＣＳＩ要求ビットフィールドが２ビットでありながら多数のＣＳＩプロセスに対して非周期的ＣＳＩ報告がトリガーされ、Ｎ＿ＰＲＢが２０以下の場合、
【０１６２】
ＵＣＩ  ｏｎｌｙ  ＰＵＳＣＨフィードバックが設定される。
【０１６３】
若しくは、端末に設定された全てのＣＣ／ＣＳＩプロセスの数又はＵＬ承認ＤＣＩ内の非周期的ＣＳＩ要求ビットの状態に連結されたＣＣ／ＣＳＩプロセスの数がＮｃｃを超え、ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき、
【０１６４】
【数４７】
0006748649.tif 000057
ＣＳＩ要求ビットフィールドが１ビットでありながら非周期的ＣＳＩ報告がトリガーされ、Ｎ＿ＰＲＢが４以下の場合、
【０１６５】
【数４８】
0006748649.tif 000058
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１６６】
【数４９】
0006748649.tif 000059
若しくは、ＣＳＩ要求ビットフィールドが２ビットでありながら多数のサービングセルに対して非周期的ＣＳＩ報告がトリガーされた場合、
【０１６７】
【数５０】
0006748649.tif 000060
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１６８】
【数５１】
0006748649.tif 000061
若しくは、ＣＳＩ要求ビットフィールドが２ビットでありながら多数のＣＳＩプロセスに対して非周期的ＣＳＩ報告がトリガーされた場合、
【０１６９】
ＵＣＩ  ｏｎｌｙ  ＰＵＳＣＨフィードバックが設定される。
【０１７０】
第２−２条件．
【０１７１】
端末に設定された全てのＣＣ／ＣＳＩプロセスの数又はＵＬ承認ＤＣＩ内の非周期的ＣＳＩ要求ビットの状態に連結されたＣＣ／ＣＳＩプロセスの数がＮｃｃ以下であり、ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき
【０１７２】
【数５２】
0006748649.tif 000062
ＣＳＩ要求ビットフィールドが１ビットでありながら非周期的ＣＳＩ報告がトリガーされ、Ｎ＿ＰＲＢが４以下の場合、
【０１７３】
【数５３】
0006748649.tif 000063
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１７４】
【数５４】
0006748649.tif 000064
若しくは、ＣＳＩ要求ビットフィールドが２ビットでありながら多数のサービングセルに対して非周期的ＣＳＩ報告がトリガーされ、Ｎ＿ＰＲＢが２０以下の場合、
【０１７５】
【数５５】
0006748649.tif 000065
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１７６】
【数５６】
0006748649.tif 000066
若しくは、ＣＳＩ要求ビットフィールドが２ビットでありながら多数のＣＳＩプロセスに対して非周期的ＣＳＩ報告がトリガーされ、Ｎ＿ＰＲＢが２０以下の場合、
【０１７７】
ＵＣＩ  ｏｎｌｙ  ＰＵＳＣＨフィードバックが設定される。
【０１７８】
端末に設定された全てのＣＣ／ＣＳＩプロセスの数又はＵＬ承認ＤＣＩ内の非周期的ＣＳＩ要求ビットの状態に連結されたＣＣ／ＣＳＩプロセスの数がＮｃｃを超え、ＤＣＩフォーマット０が使われ、Ｉ＿ＭＣＳ＝２９又はＤＣＩフォーマット４が使われ、１ＴＢのみがイネーブルされ、そのＴＢのＩ＿ＭＣＳ＝２９であり、伝送レイヤーの数が１個であるとき、
【０１７９】
【数５７】
0006748649.tif 000067
ＣＳＩ要求ビットフィールドが１ビットでありながら非周期的ＣＳＩ報告がトリガーされ、Ｎ＿ＰＲＢが４以下の場合、
【０１８０】
【数５８】
0006748649.tif 000068
若しくは、ＣＳＩ要求ビットフィールドが２ビットでありながら一つのサービングセルに対して非周期的ＣＳＩ報告がトリガーされ、Ｎ＿ＰＲＢが４以下の場合、
【０１８１】
【数５９】
0006748649.tif 000069
若しくは、ＣＳＩ要求ビットフィールドが２ビットでありながら多数のサービングセルに対して非周期的ＣＳＩ報告がトリガーされ、Ｎ＿ＰＲＢがｒ以下の場合、
【０１８２】
【数６０】
0006748649.tif 000070
若しくは、ＣＳＩ要求ビットフィールドが２ビットでありながら一つのＣＳＩプロセスに対して非周期的ＣＳＩ報告がトリガーされ、Ｎ＿ＰＲＢが４以下の場合、
【０１８３】
【数６１】
0006748649.tif 000071
若しくは、ＣＳＩ要求ビットフィールドが２ビットでありながら多数のＣＳＩプロセスに対して非周期的ＣＳＩ報告がトリガーされ、Ｎ＿ＰＲＢがｒ以下の場合、
【０１８４】
ＵＣＩ  ｏｎｌｙ  ＰＵＳＣＨフィードバックが設定される。
【０１８５】
ここで、ｒは前もって定義されるとか上位階層信号によって設定された値であり、一例として端末に設定された全てのＣＣ／ＣＳＩプロセスの数又はＵＬ承認ＤＣＩ内の非周期的ＣＳＩ要求ビットの特定状態に連結されたＣＣ／ＣＳＩプロセスの数又はＵＬ承認ＤＣＩ内の非周期的ＣＳＩ要求ビットの各状態に連結されたＣＣ／ＣＳＩプロセスの数のうち最大値に比例して設定できる。若しくは、前記ｒはトリガーされた状態に連結されたＣＣ／ＣＳＩプロセスの数に比例して動的に設定できる。
【０１８６】
前記提案で、サービングセルは、（１）端末に設定されたセルを意味するとかあるいは（２）ＣＳＩ要求時点で活性化したセルを示すとかあるいは（３）ＣＳＩ要求時点でＲＲＰ区間に属する非兔許帯域に基づくセルを示すことができる。
【０１８７】
第３方案．
【０１８８】
前記第１方案又は第２方案におけるＣＳＩ要求ビットの数は１、２の外に前もって定義された値（又は上位階層信号によって設定された値）に取り替えられることができる。
【０１８９】
第４方案．
【０１９０】
ＵＬ承認ＤＣＩのＩ＿ＭＣＳが３０又は３１の場合、非周期的ＣＳＩのＣＳＩ測定対象ＣＣ又はＣＳＩプロセスも異なって設定できる。
【０１９１】
ＵＬ承認ＤＣＩのＩ＿ＭＣＳが３０又は３１の場合、ＵＣＩ  ｏｎｌｙ  ＰＵＳＣＨフィードバックを設定するためのＲＢ条件も既存の条件とは異なって定義されることができる。
【０１９２】
第５方案．
【０１９３】
ＵＣＩ  ｏｎｌｙ  ＰＵＳＣＨフィードバックに対してＱＰＳＫ以外の変調次数が許される場合、ＵＣＩ  ｏｎｌｙ伝送条件が既存とは異なって設定されることもできる。一例として、ＵＣＩ  ｏｎｌｙ  ＰＵＳＣＨが１６ＱＡＭで送信される場合、既存より少ない数のＲＢ（例えば、２ＲＢ）をトリガーの条件として設定することができる。
【０１９４】
第６方案．非周期的ＣＳＩのみをフィードバックするための変調次数
【０１９５】
第６−１方案．
【０１９６】
非周期的ＣＳＩのトリガーを含むＵＬ承認ＤＣＩによってＵＣＩ  ｏｎｌｙ  ＰＵＳＣＨフィードバックで送信される非周期的ＣＳＩの変調次数が異なって設定できる。詳細には、非周期的ＣＳＩのトリガーを含むＵＬ承認ＤＣＩの（ｎｏｎ−ｚｅｒｏ  ＲＶ（ｒｅｄｕｎｄａｎｃｙ  ｖｅｒｓｉｏｎ）を有する）特定のＭＣＳインデックス及び／又はＤＭＲＳサイクリックシフト（組合せ）などによってＵＣＩ  ｏｎｌｙ  ＰＵＳＣＨフィードバックで送信される非周期的ＣＳＩの変調次数が異なって設定できる。一例として、Ｉ＿ＭＣＳ＝２９の場合、ＰＵＳＣＨの変調次数がＱＰＳＫに設定されることができ、Ｉ＿ＭＣＳ＝３０の場合、ＰＵＳＣＨの変調次数が１６ＱＡＭに設定できる。
【０１９７】
第６−２方案．
【０１９８】
ＰＵＳＣＨのために割り当てられたリソース量（例えば、ＰＵＳＣＨのために割り当てられたＲＢの数、又はＲＥの数）によってＵＣＩ  ｏｎｌｙ  ＰＵＳＣＨフィードバックで送信される非周期的ＣＳＩの変調次数が異なって設定できる。一例として、複数のＣＣ／ＣＳＩプロセスに対する非周期的ＣＳＩのＰＵＳＣＨスケジューリングＲＢの数がＮ＿Ｐ以下の場合、ＵＣＩ  ｏｎｌｙ  ＰＵＳＣＨフィードバックで送信される非周期的ＣＳＩの変調次数が１６ＱＡＭに設定されることができ、Ｎ＿Ｐを超える場合、変調次数がＱＰＳＫに設定できる。
【０１９９】
第６−３方案．
【０２００】
トリガーされた非周期的ＣＳＩのＣＳＩ測定対象ＣＳＩプロセス／ＣＣの数とＰＵＳＣＨのために割り当てられたリソース量（例えば、ＰＵＳＣＨのために割り当てられたＲＢの数、又は可用ＲＥの数）の組合せによってＵＣＩ  ｏｎｌｙ  ＰＵＳＣＨフィードバックで送信される非周期的ＣＳＩの変調次数が異なって設定できる。
【０２０１】
第６−４方案．
【０２０２】
非周期的ＣＳＩに相応するフィードバック量とＰＵＳＣＨのために割り当てられたリソース量（例えば、ＰＵＳＣＨのために割り当てられたＲＢの数、又は可用ＲＥの数）の組合せによってＵＣＩ  ｏｎｌｙ  ＰＵＳＣＨフィードバックで送信される非周期的ＣＳＩの変調次数が異なって設定できる。
【０２０３】
【数６２】
0006748649.tif 000072
全てのＲＩケースのうち最悪のケース（ｗｏｒｓｔ  ｃａｓｅ）での最大ＣＳＩフィードバック量と割り当てられたＰＵＳＣＨリソース量の組合せで算出されるコーディングレートによって変調次数を異なって決定する。
【０２０４】
【数６３】
0006748649.tif 000073
前記ＣＳＩフィードバックはＲＩを含むものと考慮されることができ、前記ＰＵＳＣＨリソースはＲＩ伝送ＲＥを含むものと考慮されることができる。
【０２０５】
【数６４】
0006748649.tif 000074
この場合、ＲＩには他のＣＳＩと同一の変調次数が適用されることができる。
【０２０６】
【数６５】
0006748649.tif 000075
ＲＩに対する復号結果として決定されるＣＳＩフィードバック量と割り当てられたＰＵＳＣＨリソース量の組合せで算出されるコーディングレートによって変調次数を異なって決定する。
【０２０７】
【数６６】
0006748649.tif 000076
前記ＣＳＩフィードバックはＲＩを除いたものと考慮されることができ、前記ＰＵＳＣＨリソースはＲＩ伝送ＲＥを除いたものと考慮されることができる。
【０２０８】
【数６７】
0006748649.tif 000077
この場合、ＲＩには固定された低い特定の変調次数（例えば、ＱＰＳＫ）が適用されることができる。
【０２０９】
【数６８】
0006748649.tif 000078
前記ＰＵＳＣＨリソースはＨＡＲＱ−ＡＣＫ伝送ＲＥを除いたものあるいは含むものと考慮されることができる。さらに他の方法として、前記ＰＵＳＣＨリソースは（実際の伝送有無に関係なく）いつもＨＡＲＱ−ＡＣＫ（すなわち、ピギーバック）伝送があると仮定した状態で該当ＨＡＲＱ−ＡＣＫに対応するＲＥを除いたものと考慮されるかあるいは（実際の伝送有無に関係なく）いつもＨＡＲＱ−ＡＣＫに対応するＲＥを含むものと考慮されることができる。
【０２１０】
【数６９】
0006748649.tif 000079
追加として、ＨＡＲＱ−ＡＣＫには固定された低い特定の変調次数（例えば、ＱＰＳＫ）が適用されるとかあるいはＲＩと同一の変調次数が適用されるとかあるいは（ＲＩを除いた）他のＣＳＩと同一の変調次数が適用されることができる。
【０２１１】
第６−５方案．
【０２１２】
‘伝送レイヤーの数（Ｎｕｍｂｅｒ  ｏｆ  ｔｒａｎｓｍｉｓｓｉｏｎ  ｌａｙｅｒｓ）’によってＵＣＩ  ｏｎｌｙ  ＰＵＳＣＨフィードバックで送信される非周期的ＣＳＩの変調次数が異なって設定できる。
【０２１３】
一例として、受信されたＤＣＩフォーマット上の“ｐｒｅｃｏｄｉｎｇ  ｉｎｆｏｒｍａｔｉｏｎ  ａｎｄ  ｎｕｍｂｅｒ  ｏｆ  ｌａｙｅｒｓ”フィールドが前もって定義された（あるいはシグナリングされた）数又はそれ以上の‘伝送レイヤーの数’を指示する場合、ＵＣＩ  ｏｎｌｙ  ＰＵＳＣＨフィードバックで送信される非周期的ＣＳＩの変調次数が既存とは異なって設定できる。
【０２１４】
さらに他の一例として、受信されたＤＣＩフォーマット上の“ｐｒｅｃｏｄｉｎｇ  ｉｎｆｏｒｍａｔｉｏｎ  ａｎｄ  ｎｕｍｂｅｒ  ｏｆ  ｌａｙｅｒｓ”フィールドが（現在ＬＴＥ標準上の）‘ｒｅｓｅｒｖｅｄ  ｓｔａｔｅ’を指示する場合、ＵＣＩ  ｏｎｌｙ  ＰＵＳＣＨフィードバックで送信される非周期的ＣＳＩの変調次数が既存とは異なって設定できる。この際、一例として、‘ｒｅｓｅｒｖｅｄ  ｓｔａｔｅ’が指示するＴＰＭＩ（ｔｒａｎｓｍｉｔ  ｐｒｅｃｏｄｉｎｇ  ｍａｔｒｉｘ  ｉｎｄｉｃａｔｏｒ）情報及び／又は‘伝送レイヤーの数’情報は基地局が端末に前もって定義されたシグナリングによって知らせるとかあるいは前もって約束されて固定されることもできる。
【０２１５】
第６−６方案．
【０２１６】
非周期的ＣＳＩのトリガーを含むＵＬ承認ＤＣＩのＤＣＩフォーマットによってＵＣＩ  ｏｎｌｙ  ＰＵＳＣＨフィードバックで送信される非周期的ＣＳＩの変調次数が異なって設定できる。
【０２１７】
さらに他の一例として、非周期的ＣＳＩのトリガーを含むＵＬ承認ＤＣＩのＤＣＩフォーマットとＭＣＳインデックス、伝送ブロックのイネーブル数、及び／又は‘伝送レイヤーの数’の組合せによってＵＣＩ  ｏｎｌｙ  ＰＵＳＣＨフィードバックで送信される非周期的ＣＳＩの変調次数が異なって設定できる。
【０２１８】
第６−７方案．
【０２１９】
前もって定義された（あるいはシグナリングされた）閾値より多い数のセルがＣＡ（ｃａｒｒｉｅｒ  ａｇｇｒｅｇａｔｉｏｎ）に設定された場合（あるいは大規模（ｍａｓｓｉｖｅ）ＣＡが設定された場合）、ＵＣＩ  ｏｎｌｙ  ＰＵＳＣＨフィードバックで送信される非周期的ＣＳＩの変調次数が既存の規則とは異なって設定できる。一例として、該当閾値は５に設定されることもできる。
【０２２０】
第６−８方案．
【０２２１】
受信されたＤＣＩフォーマット上の“ＣＳＩ要求”フィールドのビット数によってＵＣＩ  ｏｎｌｙ  ＰＵＳＣＨフィードバックで送信される非周期的ＣＳＩの変調次数が異なって設定できる。例えば、“ＣＳＩ要求”フィールドが２ビット以下の場合、ＵＣＩ  ｏｎｌｙ  ＰＵＳＣＨフィードバックで送信される非周期的ＣＳＩの変調次数がＱＰＳＫに設定されることができ、“ＣＳＩ要求”フィールドが３ビット又はそれ以上の場合、ＵＣＩ  ｏｎｌｙ  ＰＵＳＣＨフィードバックで送信される非周期的ＣＳＩの変調次数が１６ＱＡＭに設定できる。
【０２２２】
第６−９方案．
【０２２３】
上位階層信号（例えば、ＲＲＣシグナリング）によってＣＳＩ要求ビットに相応する各状態別に（１）非周期的ＣＳＩ測定対象（ＤＬ）ＣＣ又はＣＳＩプロセスセットと（２）ＰＵＳＣＨの変調次数を一緒に連結して設定することができる。一例として、特定の状態‘Ｘ’にはＱＰＳＫがリンクされ、他の特定の状態‘Ｙ’には１６ＱＡＭが連結された場合、状態‘Ｘ’がトリガーされる場合には非周期的ＣＳＩの変調次数がＱＰＳＫに設定されてＵＣＩ  ｏｎｌｙ  ＰＵＳＣＨフィードバックが送信され、状態‘Ｙ’がトリガーされる場合には非周期的ＣＳＩの変調次数が１６ＱＡＭに設定されてＵＣＩ  ｏｎｌｙ  ＰＵＳＣＨフィードバックが送信されることができる。
【０２２４】
前記全ての方式で、ＣＳＩフィードバック量の場合はＣＳＩプロセス数又はＣＳＩビット数として考慮されることができ、ＰＵＳＣＨリソース量の場合はＲＢ数又は可用ＲＥ数として考慮されることができる。
【０２２５】
第６−１０方案．
【０２２６】
第６−１方案と結合し、受信されたＵＬ承認ＤＣＩのＩ＿ＭＣＳによってＣＳＩ要求ビットによって指示される各状態に連結可能なＣＳＩ測定対象ＣＣ／ＣＳＩプロセスの数を異なって設定することができる。例えば、Ｉ＿ＭＣＳ＝２９の場合、Ａ−ＣＳＩ  ｏｎｌｙ  フィードバックの変調次数はＱＰＳＫであり、一状態当たり１０個のＣＣ／ＣＳＩプロセスが連結される反面、Ｉ＿ＭＣＳ＝３０の場合、Ａ−ＣＳＩ  ｏｎｌｙ  フィードバックの変調次数は１６ＱＡＭになり、一状態当たり５個のＣＣ／ＣＳＩプロセスが連結される。ただ、前記規則は端末に設定された全てのＣＣの数が一定数以上であるとかあるいは全てのＣＳＩプロセスの数が一定数以上の場合に限定されることもできる。
【０２２７】
第６−１１方案．
【０２２８】
ＤＣＩフォーマット上の“ｐｒｅｃｏｄｉｎｇ  ｉｎｆｏｒｍａｔｉｏｎ  ａｎｄ  ｎｕｍｂｅｒ  ｏｆ  ｌａｙｅｒｓ”の状態によってＣＳＩ要求ビットによって指示される各状態に連結可能なＣＳＩ測定対象ＣＣ／ＣＳＩプロセスの数を異なって設定することができる。ただ、前記規則は端末に設定された全てのＣＣの数が一定数以上であるとかあるいは全てのＣＳＩプロセスの数が一定数以上の場合に限定されることもできる。
【０２２９】
第６−１２方案．
【０２３０】
非周期的ＣＳＩのトリガーを含むＵＬ承認ＤＣＩのＤＣＩフォーマットによってＣＳＩ要求ビットによって指示される各状態に連結可能なＣＳＩ測定対象ＣＣ／ＣＳＩプロセスの数を異なって設定することができる。ただ、前記規則は端末に設定された全てのＣＣの数が一定数以上であるとかあるいは全てのＣＳＩプロセスの数が一定数以上の場合に限定されることもできる。
【０２３１】
本発明の第６方案の全ての提案方式は、（１）端末に設定された全てのＣＣ／ＣＳＩプロセスの数が一定閾値以上／以下である、あるいは（２）ＵＬ承認ＤＣＩ内のＣＳＩ要求ビットの特定状態に連結された非周期的ＣＳＩ測定対象（ＤＬ）ＣＣ／ＣＳＩプロセスの数が一定閾値以上／以下であるという条件（等）と組み合わせられ、ＵＣＩ  ｏｎｌｙ  ＰＵＳＣＨフィードバックで送信される非周期的ＣＳＩの変調次数が既存とは異なって設定されるように規則が決定されることもできる。
【０２３２】
本発明の全ての提案で（ＣＳＩ報告対象）ＤＬ  ＣＣ／セルとＣＳＩプロセスは互いに取り替えられて適用されることができる。
【０２３３】
第７方案．ＵＣＩ内容別変調次数（Ａ／Ｎ、ＲＩ保護）
【０２３４】
ＵＣＩ  ｏｎｌｙ  ＰＵＳＣＨフィードバックが設定される場合、前もって定義された規則によってＵＣＩ内容別に変調次数が異なって設定され、ＵＣＩ  ＲＥにマッピングされることができる。詳細には、端末は、特定の一部ＵＣＩ（例えば、ＨＡＲＱ−ＡＣＫ、ＲＩ）に対しては変調次数をいつもＱＰＳＫ（あるいは前もって約束された特定の変調次数）に設定してマッピングし、残りのＣＳＩ（例えば、ＰＭＩ、ＣＱＩ）に対しては前述した方案又はその他の方式によって変調次数をＱＰＳＫ又は１６ＱＡＭ（又は、さらに他の変調次数）に設定してマッピングすることができる。
【０２３５】
若しくは、（１）端末に設定された全てのＣＣ／ＣＳＩプロセスの数が一定閾値以上／以下であるとかあるいは（２）ＵＬ承認ＤＣＩ内のＣＳＩ要求ビットの特定状態に連結された非周期的ＣＳＩ測定対象（ＤＬ）ＣＣ／ＣＳＩプロセスの数が一定閾値以上／以下であるとともにＵＣＩ  ｏｎｌｙ  ＰＵＳＣＨフィードバックが設定される場合、前記提案のように、前もって定義された規則によってＵＣＩ内容別に変調次数が異なって設定され、ＵＣＩ  ＲＥにマッピングされることができる。
【０２３６】
第８方案．ＤＣＩフィールドの新しい解釈
【０２３７】
先に言及した現在ＬＴＥ標準によるＵＣＩ  ｏｎｌｙ  ＰＵＳＣＨフィードバックのための条件が満たされてＵＣＩ  ｏｎｌｙ  ＰＵＳＣＨ  ｆｅｅｄｂａｃｋが設定される場合、ＤＣＩ内の新しいデータ指示子（ｎｅｗ  ｄａｔａ  ｉｎｄｉｃａｔｏｒ；ＮＤＩ）フィールドはＵＣＩ内容の変調次数を指示するように前もって定義されることができる。例えば、ＵＣＩ  ｏｎｌｙ  ＰＵＳＣＨフィードバックが設定され、ＮＤＩ＝０の場合、ＵＣＩ内容は、ＱＰＳＫ、ＮＤＩ＝１の場合、１６ＱＡＭに設定できる。若しくは、該当ＵＬ承認ＤＣＩのＭＣＳインデックスが特定の値に相当する場合（例えば、Ｉ＿ＭＣＳ＞＝２９）、ＤＣＩ内のＮＤＩフィールドはＵＣＩ内容の変調次数を指示するように前もって定義されることができる。若しくは、（１）端末に設定された全てのＣＣ／ＣＳＩプロセスの数が一定閾値以上／以下であるとかあるいは（２）ＵＬ承認ＤＣＩ内のＣＳＩ要求ビットの特定状態に連結された非周期的ＣＳＩ測定対象（ＤＬ）ＣＣ／ＣＳＩプロセスの数が一定閾値以上／以下であるとともにＵＣＩ  ｏｎｌｙ  ＰＵＳＣＨフィードバックが設定される場合、ＮＤＩフィールドがＵＣＩ内容の変調次数を指示するように前もって定義されることができる。
【０２３８】
さらに他の方案として、先に言及した現在ＬＴＥ標準によるＵＣＩ  ｏｎｌｙ  ＰＵＳＣＨフィードバックのための条件が満たされてＵＣＩ  ｏｎｌｙ  ＰＵＳＣＨフィードバックが設定される場合、ＤＣＩ内のＮＤＩフィールドとＣＳＩ要求ビットフィールドの組合せで非周期的ＣＳＩのための特定の状態が指示されることができる。若しくは、該当ＵＬ承認ＤＣＩのＭＣＳインデックスが特定の値に相当する場合（例えば、Ｉ＿ＭＣＳ＞＝２９）、ＤＣＩ内のＮＤＩフィールドとＣＳＩ要求ビットフィールドの組合せで非周期的ＣＳＩのための特定の状態が指示されることができる。若しくは、（１）端末に設定された全てのＣＣ／ＣＳＩプロセスの数が一定閾値以上／以下であるとかあるいは（２）ＵＬ承認ＤＣＩ内のＣＳＩ要求ビットの特定状態に連結された非周期的ＣＳＩ測定対象（ＤＬ）ＣＣ／ＣＳＩプロセスの数が一定閾値以上／以下であるとともにＵＣＩ  ｏｎｌｙ  ＰＵＳＣＨフィードバックが設定される場合、ＮＤＩフィールドとＣＳＩ要求ビットフィールドの組合せで非周期的ＣＳＩのための特定の状態が指示されることができる。
【０２３９】
説明した提案方式の一例も本発明の具現方法の一つとして含まれることができるので、一種の提案方式と見なすことができるのは明白な事実である。また、説明した提案方式は独立的に具現されることもできるが、一部の提案方式の組合せ（又は併合）の形態に具現されることもできる。提案方法の適用可否の情報（又は前記提案方法の規則についての情報）は基地局が端末に前もって定義されたシグナリング（例えば、物理階層シグナリング又は上位階層シグナリング）によって知らせるように規則が定義されることができる。
【０２４０】
図５は本発明の一実施例による動作を例示する。
【０２４１】
図５は無線通信システムにおいて非周期的チャネル状態報告のための方法に対するものである。
【０２４２】
端末５１は、基地局５２から非周期的ＣＳＩ（ｃｈａｎｎｅｌ  ｓｔａｔｅ  ｉｎｆｏｒｍａｔｉｏｎ）報告要求を受信することができる（Ｓ５１０）。前記端末は、前記非周期的ＣＳＩ報告要求に対応する非周期的ＣＳＩを計算し（Ｓ５２０）、上りリンク共有チャネルを介して前記基地局に送信することができる（Ｓ５３０）。ここで、前記上りリンク共有チャネルは物理上りリンク共有チャネル（ｐｈｙｓｉｃａｌ  ｕｐｌｉｎｋ  ｓｈａｒｅｄ  ｃｈａｎｎｅｌ）を含むことができる。前記端末のための要素搬送波又はＣＳＩプロセスの数が特定の値を超える場合、特定の条件下で前記非周期的ＣＳＩを含む上りリンク制御情報のみが前記上りリンク共有チャネルを介して送信されることができる。すなわち、前記上りリンク共有チャネルは上りリンクデータなしに上りリンク制御情報のみを送信するために使われることができる。
【０２４３】
前記特定の条件は、前記非周期的ＣＳＩ報告要求のためにＤＣＩ（ｄｏｗｎｌｉｎｋ  ｃｏｎｔｒｏｌ  ｉｎｆｏｒｍａｔｉｏｎ）フォーマット０が使われ、前記ＤＣＩ内に含まれた変調及びコーディング方式フィールド値が２９の場合を含むことができる。
【０２４４】
若しくは、前記特定の条件は、前記非周期的ＣＳＩ報告要求のためにＤＣＩフォーマット４が使われ、１ＴＢのみがイネーブル（ｅｎａｂｌｅ）され、前記ＤＣＩ内に含まれた変調及びコーディング方式フィールド値が２９であり、伝送レイヤーの数が１個の場合を含むことができる。
【０２４５】
若しくは、前記特定の条件は、前記非周期的ＣＳＩ報告要求のためのフィールドがＮビットであり、前記非周期的ＣＳＩ報告がトリガーされ、リソースブロックの数が４以下の場合を含むことができる。
【０２４６】
若しくは、前記特定の条件は、前記非周期的ＣＳＩ報告要求のためのフィールドがＮ＋１ビットであり、前記非周期的ＣＳＩ報告が一つのサービングセルに対してトリガーされ、リソースブロックの数が４以下の場合を含むことができる。
【０２４７】
若しくは、前記特定の条件は、前記非周期的ＣＳＩ報告要求のためのフィールドがＮ＋１ビットであり、前記非周期的ＣＳＩ報告が複数のセルに対してトリガーされた場合を含むことができる。
【０２４８】
若しくは、前記特定の条件は、前記非周期的ＣＳＩ報告要求のためのフィールドがＮ＋１ビットであり、前記非周期的ＣＳＩ報告が一つのＣＳＩプロセスに対してトリガーされ、リソースブロックの数が４以下の場合を含むことができる。
【０２４９】
若しくは、前記特定の条件は、前記非周期的ＣＳＩ報告要求のためのフィールドがＮ＋１ビットであり、前記非周期的ＣＳＩ報告が複数のＣＳＩプロセスに対してトリガーされた場合を含むことができる。
【０２５０】
また、前記非周期的ＣＳＩ報告要求のためのＤＣＩに係わる少なくとも一つのパラメーターによって前記非周期的ＣＳＩのための変調次数が決定されることができる。
【０２５１】
若しくは、前記上りリンク共有チャネルのために割り当てられたリソースの大きさによって前記非周期的ＣＳＩのための変調次数が決定されることができる。
【０２５２】
若しくは、前記非周期的ＣＳＩのための要素搬送波又はＣＳＩプロセスの数及び前記上りリンク共有チャネルのために割り当てられたリソース大きさの組合せによって前記非周期的ＣＳＩのための変調次数が決定されることができる。
【０２５３】
若しくは、前記非周期的ＣＳＩの大きさ及び前記上りリンク共有チャネルのために割り当てられたリソース大きさの組合せによって前記非周期的ＣＳＩのための変調次数が決定されることができる。
【０２５４】
若しくは、前記非周期的ＣＳＩ報告要求のためのＤＣＩに含まれた伝送レイヤーの数によって前記非周期的ＣＳＩのための変調次数が決定されることができる。
【０２５５】
若しくは、前記非周期的ＣＳＩ報告要求のためのＤＣＩのフォーマットによって前記非周期的ＣＳＩのための変調次数が決定されることができる。
【０２５６】
若しくは、前記非周期的ＣＳＩ報告要求のためのフィールドのビット数によって前記非周期的ＣＳＩのための変調次数が決定されることができる。
【０２５７】
若しくは、前記非周期的ＣＳＩ報告要求のためのフィールドのビット値によって前記非周期的ＣＳＩのための変調次数が決定されることができる。
【０２５８】
以上で図５を参照して本発明による実施例を簡略に説明したが、図５に係わる実施例は前述した実施例（等）の少なくとも一部を代案として又は追加として含むことが可能であろう。
【０２５９】
図6は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できる送受信ユニット１３，２３と、無線通信システム内の通信と関連した各種情報を記憶するメモリ１２，２２と、送受信ユニット１３，２３及びメモリ１２，２２の構成要素と動作的に接続してこれらの構成要素を制御し、当該装置が前述の本発明の実施例の少なくとも一つを実行するようにメモリ１２，２２及び／又は送受信ユニット１３，２３を制御するように構成されたプロセッサ１１，２１をそれぞれ備える。
【０２６０】
メモリ１２，２２は、プロセッサ１１，２１の処理及び制御のためのプログラムを格納することができ、入／出力される情報を臨時記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０２６１】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後送受信ユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために送受信ユニット１３はオシレータ（ｏｓｃｉｌｌａｔｏｒ）を含むことができる。送受信ユニット１３はＮｔ個（Ｎｔは１以上の正の整数）の送信アンテナを含むことができる。
【０２６２】
受信装置２０の信号処理過程は、送信装置１０の信号処理過程の逆となる。プロセッサ２１の制御下に、受信装置２０の送受信ユニット２３は送信装置１０から送信された無線信号を受信する。送受信ユニット２３は、Ｎｒ個の受信アンテナを含むことができ、送受信ユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送受信ユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０２６３】
送受信ユニット１３，２３は一つ以上のアンテナを具備する。アンテナは、プロセッサ１１，２１の制御下に、本発明の一実施例によって、送受信ユニット１３，２３で処理された信号を外部に送信したり、外部から無線信号を受信して送受信ユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０２６４】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０２６５】
送信装置１０又は受信装置２０は、上述した本発明の実施例のうちの少なくとも１つ又は２つ以上の実施例の組合せを実行することができる。
【０２６６】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２６７】
本発明は、端末、リレー、基地局などのような通信装置に利用可能である。
【図１】
0006748649.tif 000080
【図２】
0006748649.tif 000081
【図３】
0006748649.tif 000082
【図４】
0006748649.tif 000083
【図５】
0006748649.tif 000084
【図６】
0006748649.tif 000085